(57)【要約】【課題】ねじりバネの先端付近のバネの間に超小型の仕掛け器具を設置して罠を作動させる。【解決手段】ねじりバネ１の上下２本のバネに比較的細い針金２３を折り返し、リング３１を施してねじりバネ１の作動を制止する。リング３１に感知糸９を接接し、ローラー１９によって下方に引く。ねじりバネ１の上のバネにクリップ５や針金２３でワイヤー４を接続する。ねじりバネ１の下のバネはアンカー６で固定しておく。【選択図】  図２０
2004242530.tif 000002
【特許請求の範囲】
【請求項１】
ねじりバネ（１）の下方のバネをアンカー（６）で固定し、針金（２３）を上下のバネに渡して折り返し、折り返し箇所にリング（３１）を施し、リング（３１）には感知糸（９）を接続し、チョネジ調整器（２０）を架設した状態で感知糸（９）を踏み板（１０）に接続後、チョネジの調整板（２１）を緩和して、ねじりバネ（１）より取り外すバネの間隙に設置する小型罠具の装置。
【請求項２】
調整器（３）は、ねじりバネ（１）の上下を抱き、相互に相対する逆ネジを利用して、調整器のネジ（１５）を回転して伸縮させ、調整器のネジ（１５）にはワレ目（１６）を設ける請求項１記載のバネの間隙に設置する小型罠具の装置。
【請求項３】
主軸と枝軸をもつ仕掛け器具（４７）の上部に噛み合わせ部（４１）を設置し、ねじりバネ（１）の上方の先端を平な削り部（４２）を設けて噛み合わせ、主軸（４４）の下部をねじりバネ（１）に取り付け、仕掛け器具の取り付け部（３６）に間隙（４５）をなし、枝軸（４３）に受皿（３９）を接合部（４０）によって一体にし、ネジ（３７）で踏み板（１０）を取り付ける請求項１記載のバネの間隙に設置する小型罠具の装置。
【請求項４】
ねじりバネ（１）に設置した滑車（２）を、地面にアンカー（６）で固定した下方のねじりバネ（１）とをチエン（８）で連結し、滑車（２）に感知糸（９）を接続する請求項１記載のバネの間隙に設置する小型罠具の装置。
【請求項５】
ねじりバネ（１）に設置したローラー（１９）を、地面にアンカー（６）で固定した下方のねじりバネ（１）とをチエン（８）で連結し、  ローラー（１９）のチエン（８）に感知糸（９）を接続する請求項１又は４記載のバネの間隙に設置する小型罠具の装置。
【請求項６】
ねじりバネ（１）の上下２本のバネの間に仕掛け器具（３２）の超小型を設置し、押え棒（３４）に伴うひも（３３）で上方のバネに接続し、下方は、仕掛け器具（３２）の間隙を有する仕掛け器具の取り付け部（３６）を、アンカー（６）で固定したねじりバネ（１）に接合をなし、支え棒（３５）に付随する感知糸（９）をローラー（１９）によって下方に引く、上方のねじりバネ（１）にワイヤー（４）をクリップ（５）で接合する請求項１記載のバネの間隙に設置する小型罠具の装置。
【請求項７】
杭（７）の地上に露出するであろう部分に複数の孔（２６）を設置する請求項１又は６記載のバネの間隙に設置する小型罠具の装置。
【発明の詳細な説明】
【０００１】
【発明の属する技術分野】
本発明は、ねじりバネの先端付近の上下二本のバネの間に、設置する小型仕掛け器具に関する罠である。
【０００２】
【従来の技術】
従来のねじりバネの多くが完璧を期するあまり、極めて精巧かつ機械的なものが少なくない。従って罠は頑強で重厚であった。
【０００３】
ねじりバネの反復力は強力であり、罠の設置において常に危険が伴う。ねじりバネは凶器に変り、顔を弾き失明も起こりうる懸念があった。
【０００４】
【発明が解決しょうとする課題】
足括り罠の原理は、獲物がワイヤーの輪に足を踏み入れた瞬間、輪を絞ればよいのである。また、胴括り罠では、獲物がワイヤーの輪を潜り抜けようとした時に輪を絞るという。きわめて単純な要因にもとずいている。要するにワイヤーを絞って獲物を括る作業をすればよく、それ以上の必要はない。
従来のものの多くが重量があり、容積も嵩った。山中での運搬に苦慮するという問題点があった。
【０００５】
本発明では、仕掛け器具の重量、容量を共にコンパクトに軽減し、構造を簡素化し、機能を低下させずワンタッチで設置でき、かつ安全な猟具を究極の目的としている。
【０００６】
【課題を解決するための手段】
上記の目的を達成するために、本発明のねじりバネにおいて、先端付近の２本のバネに仕掛け器具である超小型滑車を設置する。感知糸に獲物が触れると微力で滑車が移動し、ねじりバネの上方のバネが跳ねて接続しているワイヤーが連動し、罠が作動する。安全装置の調整器を不可欠とし、罠の設置完了後に取り外すとよい。
【０００７】
また、滑車を超小型の仕掛け器具である簡易なロラーに置き換える。感知糸に獲物が触れると上記同様の結果が得られることになる。
【０００８】
ねじりバネの上下２本のバネの先端付近に、比較的細い針金を折り返して、小型リングをはめ、ねじりバネの作動を制止する。リングに感知糸を接続し、ローラーによって下方に引く。ねじりバネの上のバネに、針金でワイヤーを接続する。感知糸に獲物が触れるとリングが下がり、上方のねじりバネが跳ね罠が作動すればよい。
【０００９】
ねじりバネの先端付近をアンカーで固定した下のバネに、超小型の仕掛け器具を取り付け、ねじりバネの上のバネに、押え棒からのひもで接続する。半回転して離れようとする押え棒を、支え棒よって阻止する。感知糸を引くと押え棒が支え棒から離れ、ねじりバネの上のバネが跳ねて、ワイヤーが作動させるするとよい。
【００１０】
仕掛け器具の主軸に噛み合せ部を設ける。上側に位置するねじりバネのバネの先端を鋭く平にして、主軸に噛み合せ部によって接合し、ねじりバネの作動を阻止する。枝軸の先端の踏み板を獲物が上ると、噛み合せ部か離れ罠は作動することが好ましい。
【００１１】
仕掛け器具がより円滑作動するため主軸のバネ取り付け部に、間隙を施しまた自在部を設けるとよい。
【００１２】
【発明の実施の形態】
発明の実施の形態を実施例にもとずき図面を参照して説明する。
図１、２において、獲物が穴１１の上の踏み板１０に足を踏み入れると、感知糸９が滑車２を引っ張って脱し、ねじりバネ１が跳ね上り、クリップ５で結合したワイヤー４が連動して足くくり輪１３を絞る。
【００１３】
アンカー６や杭７など地中に打ち込んでねじりバネ１を立てて使用する。ワイヤー４の端は地中に打ち込んだ木杭１２に固定する。安全装置の調整器３は罠の設置が完了後に取り外す。
【００１４】
図３に示される実施例では、ねじりバネ１の上の滑車２を、地面に固定した下のねじりバネ１とをチェン８で接続する。滑車２に感知糸９を取り付ける。
【００１５】
図４に示される実施例では、調整器３は上下のねじりバネ１を抱き、相互に相対する逆ネジを利用して、調整器のネジ１５を回転して伸縮させる。調整器３の軸の上下の進行過程が、一目で判明できるように調整器のネジ１５にワレ目１６を施す。
【００１６】
図５に示される実施例では、調整器のネジ１５の表面に指の滑り止めの凹凸１７を施す
【００１７】
図６に示される実施例では、クリップ５を使用してねじりバネ１とワイヤー４をバネの凹み１８にあてがって取り付ける。
【００１８】
図７に示される実施例では、ねじりバネ１の先端付近に一部に凹み１８を設ける。
【００１９】
図８に示される実施例では、異形鉄筋をＵ型に曲げたアンカー６である。
【００２０】
図９に示される実施例では、滑車２をロラー１９に置き換えたものである。
【００２１】
図１０に示される実施例では、チョネジ２０を応用した調整器である。上下の調整板２１でねじりバネ１を挟み、チョネジ２０を回転させ、上の調整板２１によっての伸縮させる。
【００２２】
図１１に示される実施例では、上部の調整板２１にネジ孔２２を設ける。下部の調整板２１には孔２６のみ施す。
【００２３】
図１２に示される実施例では、ねじりバネ１の先端付近のバネの凹み１８にワイヤー４をあてがい針金２３で結合する。
【００２４】
図１３に示される実施例では、ねじりバネ１の先端付近にパイプ２４を接合して、ワイヤー４を折り曲げてパイプ２４の中を通す。ワイヤー４に小枝２５など刺して止める。
【００２５】
図１４に示される実施例では、けもの道の両端に杭７を地中に刺してワイヤー４を針金２３の極細のもので、輪を維持する適当な位置を軽く結ぶ。イノシシの足が引き掛る任意の高さに感知糸９をけもの道に張り渡す。
【００２６】
図１５に示される実施例では、異形鉄筋の杭７の任意の位置に感知糸９を通す複数の孔２６を施す。
【００２７】
図１６、１７に示される実施例では、岩盤の上にねじりバネ１を設置場合は、バネ取り付け台２７を用いる。アンカー６、杭７に変るＵ型締め付けネジ２８や棒ネジ２９を用いる。
【００２８】
図１８に示される実施例では、Ｕ型締め付けネジの片方にネジを切る。
【００２９】
図１９に示される実施例では、棒ネジ２９の本来の座金の位置に突起３０を施す。突起より下部にネジを切る。
【００３０】
図２０に示される実施例では、ねじりバネ１の上下２本のバネに比較的細い針金２３を折り返し、リング３１を施し、ねじりバネ１の作動を制止する。リング３１に感知糸９を接続し、ローラー１９によって下方に引く。ねじりバネ１の上のバネに針金２３でワイヤー４を接続する。
【００３１】
図２１、２２に示される実施例では、ねじりバネ１の下方のバネに、仕掛け器具３２の取り付け部３６を通す。押え棒３４のひも３３で上方のバネに接続し、支え棒３５によって連結する。上方のバネにはワイヤー４を針金２３で結ぶ。支え棒３５に付随する感知糸９をローラー１９によって下方に引く。
【００３２】
図２３、２４、２５に示される実施例では、ねじりバネ１の上方のバネの先端を平な削り部４２を設ける。主軸と枝軸をもつ仕掛け器具４７の上部に噛み合せ部４１を施す。
【００３３】
ねじりバネ１の下方のバネに、仕掛け器具の主軸４４の下部を取り付け部３６で連結する。取り付け部３６には間隙４５の余裕をもたせる。
【００３４】
仕掛け器具の枝軸４３に受皿３９を接合部４０によって一体にし、ネジ３７で踏み板１０を取り付ける。
【００３５】
図２６に示される実施例では、取り付け部３６の間隙のみに頼らず、仕掛け器具の主軸４４に自在部４６を設ける。
【００３６】
【発明の効果】
本発明は、以上説明したように構成されているので、以下に記載されるような効果を奏する。
【００３７】
罠は持ち運びに軽量で嵩ばらず、設置が簡単で時間を要しないもの、そして廉価な罠具をよしとする。本発明はそれを満たすに十分である。
ねじりバネを押し縮め復元力でワイヤーを引っ張るという、きわめて簡素なものだが、例えばフツクを引っ張っても容易にねじりバネを脱しない。滑車やローラーの働きにより、微力で瞬時にねじりバネから離れる。感知糸に獲物が軽く触れただけで罠が作動するところが、罠の罠たるゆえんである。
【００３８】
調整器は不可欠な安全猟具である。ねじりバネを横に設置の場合、足首を怪我しかねない。縦では顔を。常に罠の設置において、危険がつきまとう。罠の設置は、おおむね独りである。山中で大怪我をしたら困窮きわまりない。
【００３９】
リングと針金による仕掛け器具など究極の簡素な装置の罠である。感知糸に微力で触れて罠が作動しなければ、罠の意味をなさない。が、本発明はそのすべてを満たしている。
【００４０】
押え棒と支え棒による仕掛け器具では、支え棒に微力が加われば、敏感に反応し罠は作動する。
【００４１】
仕掛け器具の主軸と枝軸の効用では、主軸に伴う枝軸がテコの原理で、踏み板に獲物が触れると安易に作動する。感知糸や踏み板の反応が緩慢だと、獰猛な反面、神経質で警戒心の異常に強いイノシシは罠を避ける。感知糸や踏み板の敏感な反応は重要な意味をもつ。
【００４２】
獣道に張り渡す感知糸の高さは軽視できない。従来のように杭に感知糸を細ひもや、針金で軽く結んだだけでは、雨や風などの作用でずれ落ちることがあった。杭に施した複数の任意の孔に感知糸を通すことで問題を解決できる。
【図面の簡単な説明】
【図１】ねじりバネ罠の側面図である。
【図２】ねじりバネ罠の平面図である。
【図３】滑車仕掛け器具の詳細図である。
【図４】調整器の詳細図である。
【図５】調整器のネジの詳細斜視図である。
【図６】クリップを設置した詳細図である。
【図７】バネに施した凹みの斜視図である。
【図８】アンカーの平面図である。
【図９】ローラー型仕掛け器具の詳細図である。
【図１０】チョネジ型調整器の詳細図である。
【図１１】調整板の詳細斜視図である。
【図１２】バネにワイヤーを取り付けた状態を示す詳細図である。
【図１３】バネに取り付けたパイプにワイヤーを設置した状態を示す詳細斜視図である。
【図１４】胴くくり罠の詳細図である。
【図１５】杭の詳細図である。
【図１６】台に設置したねじりバネ罠の側面図である。
【図１７】台に設置したねじりバネ罠の平面図である。
【図１８】Ｕ型ネジの正面図である。
【図１９】棒ネジの正面図である。
【図２０】リングと針金の仕掛け器具を設置した正面図である。
【図２１】Ｕ型仕掛け器具を設置した正面図である。
【図２２】Ｕ型仕掛け器具を設置した側面図である。
【図２３】主軸と枝軸を有する仕掛け器具の正面図である。
【図２４】主軸と枝軸を有する仕掛け器具の状態を示す側面図である。
【図２５】主軸と枝軸を有する仕掛け器具の平面図である。
【図２６】主軸と枝軸を有する仕掛け器具の主軸に自在部を設けた側面の詳細部分図である。
【符号の説明】
１  ねじりバネ
２  滑車
３  調整器
４  ワイヤー
５  クリップ
６  アンカー
７  杭
８  チェーン
９  感知糸
１０  踏み板
１１  穴
１２  木杭
１３  足くくり輪
１４  くくり金具
１５  調整器のネジ
１６  ワレ目
１７  凹凸の滑り止め
１８  バネの凹み
１９  ローラー
２０  チョネジ
２１  調整板
２２  ネジ孔
２３  針金
２４  パイプ
２５  木の小枝
２６  孔
２７  バネ取り付け台
２８  Ｕ型締め付けネジ
２９  棒ネジ
３０  突起
３１  リング
３２  仕掛け器具
３３  ひも
３４  押え棒
３５  支え棒
３６  仕掛け器具の取り付け部
３７  ネジ
３８  座金
３９  受皿
４０  接合部
４１  噛み合せ部
４２  削り部
４３  仕掛け器具の枝軸
４４  仕掛け器具の主軸
４５  間隙
４６  自在部
４７  主軸と枝軸をもつ仕掛け器具
【図１】
2004242530.tif 000003
【図２】
2004242530.tif 000004
【図３】
2004242530.tif 000005
【図４】
2004242530.tif 000006
【図５】
2004242530.tif 000007
【図６】
2004242530.tif 000008
【図７】
2004242530.tif 000009
【図８】
2004242530.tif 000010
【図９】
2004242530.tif 000011
【図１０】
2004242530.tif 000012
【図１１】
2004242530.tif 000013
【図１２】
2004242530.tif 000014
【図１３】
2004242530.tif 000015
【図１４】
2004242530.tif 000016
【図１５】
2004242530.tif 000017
【図１６】
2004242530.tif 000018
【図１７】
2004242530.tif 000019
【図１８】
2004242530.tif 000020
【図１９】
2004242530.tif 000021
【図２０】
2004242530.tif 000022
【図２１】
2004242530.tif 000023
【図２２】
2004242530.tif 000024
【図２３】
2004242530.tif 000025
【図２４】
2004242530.tif 000026
【図２５】
2004242530.tif 000027
【図２６】
2004242530.tif 000028